(57)【要約】【課題】第１に誰でも手軽に皮膚上の特定部位である経穴に押し付け経穴を効果的に刺激でき、第２に廃棄しても環境に優しい押圧冶具を提供すること。【解決手段】皮膚上の特定部位である経穴を効果的に刺激して、体調を徐々に回復させる物理療法に用いる皮膚に押し付けて使用する押圧冶具において、  経穴を刺激する突起状構造体を具備する押圧冶具であり、  前記突起状構造体が生分解性樹脂より形成され、  前記突起状構造体がコンポストによる廃棄ができることを特徴とした押圧冶具。【選択図】図１
2009213755.tif 000002
【特許請求の範囲】
【請求項１】
皮膚上の特定部位である経穴を効果的に刺激して、体調を徐々に回復させる物理療法に用いる皮膚に押し付けて使用する押圧冶具において、
経穴を刺激する突起状構造体を具備する押圧冶具であり、
前記突起状構造体が生分解性樹脂より形成され、
前記突起状構造体がコンポストによる廃棄ができることを特徴とした押圧冶具。
【請求項２】
皮膚上の特定部位である経穴を効果的に刺激して、体調を徐々に回復させる物理療法に用いる皮膚に押し付けて使用する生分解性樹脂より形成される押圧冶具において、
経穴を刺激する微細突起構造体からなる微細構造集合体を具備する押圧冶具であり、
前記微細突起構造体からなる微細構造集合体がコンポストによる廃棄ができることを特徴とした押圧冶具。
【発明の詳細な説明】
【技術分野】
【０００１】
本発明は人体に東洋医学的診療或いは治療を施す際、特定部位である経穴（つぼ）を刺激するための押圧冶具に関するものである。
【背景技術】
【０００２】
近年、東洋医学がアジア地域に留まらず、欧米地域でも見直されつつある。東洋医学は、外科的手段による治療とは異なり、皮膚上の特定部位である経穴を効果的に刺激して、間接的に体液循環を促すことにより、体調を徐々に回復させる物理療法の一種を行う。例として、鍼、灸や指圧等が挙げられる。
【０００３】
指圧やアンマ治療は、鍼治療のように専門的知識を必要とせず、また、お灸のように火を用いないため、安全性が高く、従来から経穴を刺激するために指圧やアンマによる直接押圧行為が行われてきた。しかし、経穴を刺激する押圧行為は人の指や手などで長時間の加療を要し、また、疲労度は大きい。
【０００４】
携帯が可能で使い捨てでき、簡単に経穴を刺激できて高効果を得られる押圧冶具として、指圧貼付治療器具や磁気貼付治療器具が考案され、手軽である故に治療補助としての使用量が多い。ところが耐久性と加工性の良さから金属と石油化学製品等の複合体で形成されているため、廃棄に問題が生じていた。
【０００５】
例えば、特許文献１や特許文献２にある磁気貼付治療器具であれば、磁石、アルミニウムと粘着シート等の複合体である。使用後は指圧貼付治療器具や磁気貼付治療器具は分離することなく一括廃棄する。
【０００６】
また、特許文献３にある汎用樹脂を用いた押圧冶具は、石油化学製品を主原料とし、カーボンニュートラル物質ではない。焼却により大気中の二酸化炭素濃度を増加させる。
【０００７】
また、磁石やアルミニウムは燃えず残るが、焼却時に焼却炉内の熱を一部吸収、燃焼能力を低下させて、補助燃料の使用量を増加させ、二酸化炭素の排出量を増やす。更に焼却炉内に残ったマグネットやアルミニウムなどの押圧突起部基材を回収、処分する手間が生じ、ごみ焼却コストを押し上げている。
【０００８】
このように指圧貼付治療器具や磁気貼付治療器具は石油化学製品と金属などの小さな複合体であり、深刻化しつつある地球温暖化の一要因である二酸化炭素の大気排出を助長する。場合によっては、廃棄の煩雑さゆえに、不法投棄されて環境汚染の原因ともなる。
【特許文献１】特開平９−２５３２２３号公報
【特許文献２】実開昭６３−１０００３９号公報
【特許文献３】特開２００７−４４２１８号公報
【発明の開示】
【発明が解決しようとする課題】
【０００９】
環境汚染や温暖化ガスの低減が望まれている昨今、小型で簡便に使用でき健康器具としての押圧治療用具であって、地球環境に優しい素材が求められる。
【００１０】
そこで、本発明は、上記の問題点を解決するためになされたものであり、第１に誰でも手軽に皮膚上の特定部位である経穴に押し付け経穴を効果的に刺激でき、第２に廃棄しても環境に優しい押圧冶具を提供することを課題とする。
【課題を解決するための手段】
【００１１】
本発明は、請求項１に係る発明において、皮膚上の特定部位である経穴を効果的に刺激して、体調を徐々に回復させる物理療法に用いる皮膚に押し付けて使用する押圧冶具において、
経穴を刺激する突起状構造体を具備する押圧冶具であり、
前記突起状構造体が生分解性樹脂より形成され、
前記突起状構造体がコンポストによる廃棄ができることを特徴とした押圧冶具である。
【００１２】
また本発明は、請求項２に係る発明において、
皮膚上の特定部位である経穴を効果的に刺激して、体調を徐々に回復させる物理療法に用いる皮膚に押し付けて使用する生分解性樹脂より形成される押圧冶具において、
経穴を刺激する微細突起構造体からなる微細構造集合体を具備する押圧冶具であり、
前記微細突起構造体からなる微細構造集合体がコンポストによる廃棄ができることを特徴とした押圧冶具である。
【発明の効果】
【００１３】
本発明の請求項１に係る押圧冶具によれば、前記突起状構造体の素材として生分解性樹脂を使用することで、誰でも手軽に皮膚上の特定部位である経穴に押し付け経穴を効果的に刺激でき、使用後は地球環境に悪影響を与えることなく廃棄できる。
【００１４】
本発明の請求項２に係る押圧冶具によれば、この押圧冶具の素材として生分解性樹脂を使用することで、誰でも手軽に皮膚上の特定部位である経穴に押し付け経穴を効果的に刺激でき、使用後は地球環境に悪影響を与えることなく廃棄できる。
【発明を実施するための最良の形態】
【００１５】
以下、本発明の押圧冶具ついて２つの最良の実施形態を詳細に説明する。
【００１６】
第１実施形態の押圧冶具は、皮膚に押し付けて使用する押圧冶具である突起状構造体において、前記突起状構造体が生分解性樹脂より形成されることを特徴とする押圧冶具である。
【００１７】
図１に、第１実施形態の突起状構造体の押圧治療用具の例を概観で示す。
【００１８】
第１実施形態の突起状構造体は、人体の経穴に当たり、人体が動くことにより適度な力がかかり経穴を刺激するような押圧治療用具である。突起状構造体の形状は、皮膚に直接触れる先端が滑らかで、好ましくは皮膚を刺したり、皮膚を傷付けないことがよい。
【００１９】
第１実施形態の突起状構造体の材質は、生分解性樹脂が用いられ、微生物産出系、天然高分子系と化学合成系であって、例えば、商標としてレーシア、バイオポール、ビオファン、ノボン、マタービー、セルグリーン、ビオノーレ、ラクティなどが挙げられる。人体に直接接するため、好ましくは、食品衛生法に適合した樹脂や医療用途樹脂が良い。
【００２０】
第２実施形態の押圧冶具は、皮膚に押し付けて使用する押圧冶具において、経穴を刺激する突起状構造体を具備する生分解性絆創膏構造体であり、前記生分解性絆創膏構造体が微細突起構造体からなる微細構造集合体を具備することを特徴とした押圧冶具である。
【００２１】
図２に、第２実施形態の微細突起構造体からなる微細構造集合体の押圧冶具の例を概観で示す。
【００２２】
第２実施形態の押圧冶具が備える微細突起構造体からなる微細構造集合体は、人体の経穴に当たり、人体が動くことにより適度な力がかかり経穴を刺激する。微細突起構造体からなる微細構造集合体の形状は、皮膚に直接触れる先端が滑らかで、好ましくは皮膚を刺したり、皮膚を傷付けないことがよい。
【００２３】
第２実施形態の押圧冶具の材質は、生分解性樹脂が用いられ、微生物産出系、天然高分子系と化学合成系であって、例えば、商標としてレーシア、バイオポール、ビオファン、ノボン、マタービー、セルグリーン、ビオノーレ、ラクティなどが挙げられる。人体に直接接するため、好ましくは、食品衛生法に適合した樹脂や医療用途樹脂が良い。
【００２４】
第２実施形態の押圧冶具の製法は、前記生分解性樹脂を溶融した後、転写加工成形を行うことが好ましい。転写加工成形を行うことで、押圧治療用具を成形する加工特性に頓着することなく、前記生分解性樹脂の中から選定し押圧冶具を製造することができる。
【００２５】
転写加工成形としては、公知の転写加工成形法を適宜選択すればよい。例えば、ニッケル電鋳法などによる版形成を行った後、ホットエンボス法、射出成形法、押出成形法、コンプレッションモールド法などを行ってもよい。
【００２６】
本発明の押圧冶具は、何れの実施形態でも、前記生分解性樹脂が主成分で形成されることにより、使用後、コンポスト化やバイオガス化処理施設にて有機系廃棄物と一緒に処理するか、可燃廃棄物と焼却処理することで地球上のトータル二酸化炭素量を変化させることなく、また、金属残留物を出すことなく、二酸化炭素と水に分解することができる。
【実施例】
【００２７】
以下に、本発明の実施例を具体的に説明する。
【００２８】
＜実施例＞
まず第１実施形態の押圧冶具の高さ２ｍｍ、直径が１０ｍｍの図１に示す形状の突起構造体を複製版より澱粉系樹脂バイオプラスＨＳＣＰ（Ｚｈｅｊｉａｎｇ  ＨｉｓｕｎH  Ｃｈｅｍｉｃａｌ社）で熱プレス成形法にて成形した。次に両面水溶性テープ９８７８（スリーエム ヘルスケア社）を介して、形成した突起状構造体と、生分解性シートであるエコロージュフィルムＳＣ（三菱樹脂社）とを貼り合せ、図３に示す本実施例の押圧冶具粘着シートとした。
【００２９】
本実施例の押圧冶具粘着シートを腐葉土、水、栄養分と共に約６０℃のコンポスター内にて攪拌しない状態で１ヶ月放置した。本実施例の押圧冶具粘着シートの形状を確認したところ、原型を留めていなかった。
＜比較例＞
磁石球を医療用プラスチックテープ９９４８（スリーエム ヘルスケア社）中央に貼り付け比較例の磁石付押圧冶具粘着シート（図４に示す）とした。
【００３０】
前記比較例の磁石付押圧冶具粘着シートを腐葉土、水、栄養分と共に約６０℃のコンポスター内にて攪拌しない状態で１ヶ月放置した。比較例の磁石付押圧冶具の形状を確認したところ、磁石と粘着シートの原型が確認できた。
【図面の簡単な説明】
【００３１】
【図１】第１実施形態の押圧冶具の例を説明する図であって、（ａ）は断面図であり、（ｂ）は上方からの概観図である。
【図２】第２実施形態の押圧冶具の例を説明する図であって、（ａ）は概観図であり、（ｂ）は微細突起構造体の拡大断面図である。
【図３】実施例の押圧冶具粘着シートの概観図。
【図４】比較例の磁石付押圧冶具粘着シートの概観図。
【符号の説明】
【００３２】
１…押圧冶具
２…突起状構造体
３…台座
４…本発明における第１実施形態の突起状構造体
５…生分解性シート
６…磁石押圧冶具（磁石球）
７…医療用プラスチック性シート（テープ）
【図１】
2009213755.tif 000003
【図２】
2009213755.tif 000004
【図３】
2009213755.tif 000005
【図４】
2009213755.tif 000006